【手続補正書】
【提出日】平成29年6月7日(2017.6.7)
【手続補正１】
【補正対象書類名】特許請求の範囲
【補正対象項目名】全文
【補正方法】変更
【補正の内容】
【特許請求の範囲】
【請求項１】
無線送信／受信ユニット（ＷＴＲＵ）によって実行される、サービスにアクセスする方法であって、
サービス能力レイヤ（ＳＣＬ）リソース発見要求をサーバに送信するステップであって、前記ＳＣＬリソース発見要求は、前記サーバの既知のリソースに向けられ、および前記ＳＣＬリソース発見要求は、前記既知のリソースの属性に関連するクエリ文字列を含む、ステップと、
前記ＳＣＬリソース発見要求に応答して、ＳＣＬリソース発見情報を前記サーバから受信するステップであって、前記ＳＣＬリソース発見情報は、少なくとも１つのＳＣＬリソースおよび各々のＳＬＣリソースのユニフォームリソース識別子（ＵＲＩ）を含む、ステップと、
ＳＣＬリソースを前記ＳＬＣリソース発見情報から選択するステップと
を備えたことを特徴とする方法。
【請求項２】
前記ＳＬＣリソース発見情報は、ＳＣＬリソースごとのリソースタイプを含むことを特徴とする請求項１に記載の方法。
【請求項３】
前記ＳＬＣリソース発見情報は、各々のＳＣＬリソースによってサポートされるサービス能力のリソースタイプ、および各々のＳＣＬリソースによってサポートされるサービスのクラスを含むことを特徴とする請求項１に記載の方法。
【請求項４】
前記ＳＣＬリソース発見要求の前記クエリ文字列は、ｓｃｌＢａｓｅ属性を含むことを特徴とする請求項１に記載の方法。
【請求項５】
前記ＳＬＣリソース発見情報は、前記クエリ文字列に一致するＳＣＬリソースのリスト、および前記ＳＣＬリソースの各々に対するｓｃｌＢａｓｅへの絶対ＵＲＩを含むことを特徴とする請求項４に記載の方法。
【請求項６】
サービス能力レイヤ（ＳＣＬ）リソース発見要求をサーバに送信する手段であって、前記ＳＣＬリソース発見要求は、前記サーバの既知のリソースに向けられ、および前記ＳＣＬリソース発見要求は、前記既知のリソースの属性に関連するクエリ文字列を含む、手段と、
前記ＳＣＬリソース発見要求に応答して、ＳＣＬリソース発見情報を前記サーバから受信する手段であって、前記ＳＣＬリソース発見情報は、少なくとも１つのＳＣＬリソースおよび各々のＳＬＣリソースのユニフォームリソース識別子（ＵＲＩ）を含む、手段と、
ＳＣＬリソースを前記ＳＬＣリソース発見情報から選択する手段と
を備えたことを特徴とする無線送信／受信ユニット（ＷＴＲＵ）。
【請求項７】
前記ＳＬＣリソース発見情報は、ＳＣＬリソースごとのリソースタイプを含むことを特徴とする請求項６に記載のＷＴＲＵ。
【請求項８】
前記ＳＬＣリソース発見情報は、各々のＳＣＬリソースによってサポートされるサービス能力のリソースタイプ、および各々のＳＣＬリソースによってサポートされるサービスのクラスを含むことを特徴とする請求項６に記載のＷＴＲＵ。
【請求項９】
前記ＳＣＬリソース発見要求の前記クエリ文字列は、ｓｃｌＢａｓｅ属性を含むことを特徴とする請求項６に記載のＷＴＲＵ。
【請求項１０】
前記ＳＬＣリソース発見情報は、前記クエリ文字列に一致するＳＣＬリソースのリスト、および前記ＳＣＬリソースの各々に対するｓｃｌＢａｓｅへの絶対ＵＲＩを含むことを特徴とする請求項９に記載のＷＴＲＵ。
【手続補正２】
【補正対象書類名】明細書
【補正対象項目名】００２０
【補正方法】変更
【補正の内容】
【００２０】
図１Ａにおける基地局１１４ｂは、例えば無線ルータ、ＨＮＢ、ＨｅＮＢ、またはＡＰであってもよく、ならびにビジネス、家庭、車両、およびキャンパスの場所などの局所化されたエリアにおいて無線接続性を容易にするための任意の適切な無線アクセス技術（ＲＡＴ）を利用してもよい。一実施形態では、基地局１１４ｂならびにＳＣＵ１０２ｃおよび１０２ｄは、ＩＥＥＥ８０２．１１などの無線技術を実装して、無線ローカルエリアネットワーク（ＷＬＡＮ）を確立してもよい。別の実施形態では、基地局１１４ｂならびにＳＣＵ１０２ｃおよび１０２ｄは、ＩＥＥＥ８０２．１５などの無線技術を実装して、無線パーソナルエリアネットワーク（ＷＰＡＮ）を確立してもよい。さらに別の実施形態では、基地局１１４ｂならびにＳＣＵ１０２ｃおよび１０２ｄは、セルラベースのＲＡＴ（例えば、ＷＣＤＭＡ（登録商標）、ＣＤＭＡ２０００、ＧＳＭ（登録商標）、ＬＴＥ、およびＬＴＥ−Ａなど）を利用して、ピコセルまたはフェムトセルを確立してもよい。図１Ａに示すように、基地局１１４ｂは、インターネット１１０への直接接続を有してもよい。したがって、基地局１１４ｂは、ＣＮ１０６を介してインターネット１１０にアクセスする必要がないことがある。
【手続補正３】
【補正対象書類名】明細書
【補正対象項目名】００３６
【補正方法】変更
【補正の内容】
【００３６】
図２は、Ｍ２Ｍサービスプロバイダ２０５、レコードデータベース２１５を有するＭＳＤＦ２１０、および発行側２２０を含むネットワークにおいて実行されるＭ２Ｍサービスプロバイダ発見プロシージャ２００を示す。図２に示すように、Ｍ２Ｍサービスプロバイダ２０５は、ＭＳＤＦ２１０に要求２２５を送信して、Ｍ２Ｍサービスプロバイダ発見レコードを作成してもよく、Ｍ２Ｍサービスプロバイダ発見レコードはレコードデータベース２１５に格納されてもよい。要求２２５は、ＭＳＤＦレコードタイプ（例えば、Ｍ２Ｍサービスプロバイダ発見）、Ｍ２Ｍサービスプロバイダのブートストラップ機能への絶対的なＵＲＩ、加入に対してＭ２Ｍサービスプロバイダが必要とする情報のタイプ（例えば、識別またはアドレスのタイプ）、Ｍ２ＭサービスプロバイダによってサポートされるＭ２Ｍサービスのクラス（例えば、モビリティ、スケジューリング遅延、サポートされるデータレート、持続性、および優先順位レベルなど）、Ｍ２Ｍサービスプロバイダと通信するのに使用されるプロトコルのタイプ（例えば、ハイパーテキスト転送プロトコル（ＨＴＴＰ）／伝送制御プロトコル（ＴＣＰ）、ｃｏｎｓｔｒａｉｎｅｄ  ａｐｐｌｉｃａｔｉｏｎ  ｐｒｏｔｏｃｏｌ（ＣｏＡＰ）／ユーザデータグラムプロトコル（ＵＤＰ）など）、Ｍ２ＭサービスプロバイダによってサポートされるＭ２Ｍサービス識別子のタイプ（例えば、ビルディングオートメーション、ｅヘルス、家庭用電化製品、およびユーティリティなど）、Ｍ２ＭサービスプロバイダによってサポートされるＭ２ＭアプリケーションまたはＳＣＵのタイプ（例えば、サーモスタット、心臓モニタ、およびカメラなど）、ならびにセカンダリＭ２Ｍサービスプロバイダ（例えば、特定のユーティリティ会社、および特定のセキュリティ会社など）などの、発見レコードを作成するのに使用される様々なタイプの情報を含んでもよい。
【手続補正４】
【補正対象書類名】明細書
【補正対象項目名】００４１
【補正方法】変更
【補正の内容】
【００４１】
Ｍ２Ｍサービスプロバイダのブートストラップ機能は、Ｍ２ＭサービスプロバイダとともにＭ２Ｍ  ＳＣＵ、ゲートウェイ、およびアプリケーションのブートストラッピングを容易にすることができる。ブートストラップ機能の重要な機能は、Ｍ２Ｍ  ＳＣＵ／ゲートウェイ／アプリケーション、ならびにＭ２Ｍサービスプロバイダの管理機能（例えば、Ｍ２Ｍ認証サーバ（ＭＡＳ）およびＭ２Ｍサービスブートストラップ機能（ＭＳＢＦ））へのＭ２Ｍセキュリティ証明の配布である。次いで、これらのセキュリティ証明が、Ｍ２Ｍ機能アーキテクチャにしたがって後続のＭ２Ｍサービスブートストラッププロシージャ中に使用される。Ｍ２Ｍサービスプロバイダに応じて、そのブートストラップ機能のオフラインプロビジョニングが必要であることがある（例えば、それによってブートストラップすることが承認された各ＳＣＵのメディアアクセス制御（ＭＡＣ）アドレスなどのグローバルに一意かつ永続的な識別子によって）。
【手続補正５】
【補正対象書類名】明細書
【補正対象項目名】００４２
【補正方法】変更
【補正の内容】
【００４２】
Ｍ２Ｍサービスプロバイダブートストラッププロシージャ３００に示されるように、Ｍ２Ｍサービスプロバイダ３０５は、認証サーバ３１５のセキュリティ証明によるそのブートストラップ機能３１０のオフラインプロビジョニングを必要とすることがある（３２０）。次いで、発行側３２５は、選択されたＭ２Ｍサービスプロバイダ３０５のブートストラップ機能３１０に要求３３０を送信することにより、その選択のＭ２Ｍサービスプロバイダに対するブートストラッピングを開始してもよい。要求３３０は、グローバル一意識別子などの、ブートストラップ機能３１０にとって必要な加入者情報を含んでもよい。ブートストラップ機能３１０は、サービスプロバイダ３０５の任意のＳＣＬとのブートストラッピングを開始するのに発行側３２５によって必要とされるセキュリティ証明とともに、応答３３５を発行側３２５に送信してもよい。ブートストラップ機能３１０は、Ｍ２Ｍサービスプロバイダ３０５のＳＣＬのサブセットのみへのアクセスを許可してもよく、および、この情報はまた、応答３３５に含まれてもよい。